(57)【要約】【課題】骨補填材固定プレートを取り付けるねじのねじ孔に対する芯出しおよび位置合わせが簡単にできると共に、ドライバとねじ頭との係止を確実にし、ねじをねじ孔に正確かつ容易に取付けを可能にする。【解決手段】外周面にロット番号１５を付けた筒状の本体２には出口１１側の筒部分をねじ径にほぼ等しい内径に形成され、この筒外周に密着した可撓性のチューブ５を被うようにして、先端が本体の出口端にほぼ一致させるよう本体にガイド部材６が嵌め込まれ、芯出し用キャップ４で閉塞される。ドライバに係止されたねじを入口１０から出口側の絞られた区域に押し込み、ガイド部材の先端に当接される芯出し用キャップの平坦面４Ｂにねじの先端を突き当て芯出しする。【選択図】図２
2005323700.tif 000002
【特許請求の範囲】
【請求項１】
骨弁固定ねじを接合プレートのねじ孔に対して芯出しをする工具であって、
一端に入口および他端に出口を有し、該出口側の筒部に絞った区域を設け、該区域がねじ径にほぼ等しい内径に形成された本体と、
前記本体の出口を閉塞し、内側には前記本体の出口端に当接される平坦面を有し、該平坦面に前記入口から挿入されたねじの先端を突き当て芯出しする芯出し用キャップと、
を備えていることを特徴とする骨弁固定ねじ用工具。
【請求項２】
請求項１の記載において、本体の出口側に形成された絞った区域の筒部に複数の縦割部が形成され、前記本体の縦割部を覆って筒外周に密着して嵌め込まれる可撓性のチューブと、
前記チューブを被い、先端が本体の出口端にほぼ一致させるよう本体に嵌め込まれたガイド部材と、
前記カイド部材の外周面に装着されて前記本体の出口を閉塞し、内側には前記本体の出口端とガイド部材の先端に当接される平坦面を有し、該平坦面に前記入口から挿入されたねじの先端を突き当て芯出しする芯出し用キャップと、
前記本体の入口を塞ぐキャップと、
を備えていることを特徴とする骨弁固定ねじ用工具。
【請求項３】
請求項１において、本体の外側面にねじを特定するロット番号が付されていることを特徴とする骨弁固定ねじ用工具。
【請求項４】
請求項２において、チューブの外側面にねじを特定するロット番号が付されていることを特徴とする骨弁固定ねじ用工具。
【請求項５】
請求項１〜４のいずれかに記載の骨弁固定ねじ用工具に芯出した状態のねじがセットされていることを特徴とするガイド工具付き骨弁固定ねじ。
【発明の詳細な説明】
【技術分野】
【０００１】
本発明は、骨弁と頭蓋骨とを結合する接合プレートを固定するねじをねじ込む際に使用するドライバの操作を簡単かつ確実にするための骨弁固定ねじ用工具に関し、また予め骨弁固定ねじ用工具にねじを芯出しセットした工具付き骨弁固定ねじに関するものである。
【背景技術】
【０００２】
脳神経外科手術等で頭蓋骨を開頭し、その手術後に切り取った骨弁、或いは人工頭蓋骨弁を用いて開口部を塞ぎ、その周囲の頭蓋骨に固定される。その際、接合プレートを外側から骨弁と頭蓋骨に跨がせ、タッピングねじによるねじ込みやハーケンと呼ばれる抜け止め用突起付き釘などの打ち込みなどによって固定される。この種の固定方法は、例えば引用文献１〜４に開示されている。
【０００３】
ところで、上記プレートをねじ固定する際、直径２ｍｍ程度、長さ４ｍｍ程度の小さなねじが使用されるため、その取り扱いが難しい。プレートの孔にねじを挿入した状態でねじとプレートと、骨弁或いは頭蓋骨との３つを片手で押さえながら、もう一方の手で持ったドライバの先端をねじ頭部の十字穴に差し込んで係止させ、そのねじをプレートのねじ孔に挿入し、ドライバを回転させて骨弁や頭蓋骨にねじ込み、プレートを骨弁や頭蓋骨に固定する。このような操作は困難を極め、手術時間も長くなり、術者と患者の双方に負担を強いている。
【０００４】
【特許文献１】特開平９−２０６３１１号公報
【特許文献２】特開２０００−１３５２２０号公報
【特許文献３】特開２００２−４５３６７号公報
【特許文献４】特開２００３−１２６１０７号公報
【発明の開示】
【発明が解決しようとする課題】
【０００５】
本発明の目的は、骨補填材固定プレートを取り付けるねじのねじ孔に対する芯出しおよび位置合わせが簡単にできると共に、ドライバとねじ頭との係止を確実にし、ねじを迅速、正確かつ容易にねじ込み可能にすることで、手術時間の短縮を図ると共に、術者と患者の双方の負担を軽減することにある。
本発明の他の目的は、使用したねじの特定が正確にでき、そのねじの補充を簡単に行えるようにすることにある。
【課題を解決するための手段】
【０００６】
請求項１の発明は、骨弁固定ねじを接合プレートのねじ孔に対して芯出しをする工具であって、一端に入口および他端に出口を有し、該出口側の筒部に絞った区域を設け、該区域がねじ径にほぼ等しい内径に形成された本体と、本体の出口を閉塞し、内側には本体の出口端に当接される平坦面を有し、該平坦面に入口から挿入されたねじの先端を突き当て芯出しする芯出し用キャップとを備えていることを特徴とする。
上記の構成により、ドライバを本体の入口側から差し込むと予め芯出されたねじのねじ頭に、ドライバが係止され、その後、ドライバを回転操作し押し進める事によって、芯がぶれる事無くねじをプレートのねじ孔を通して骨弁または頭蓋骨にねじ込みすることができる。
【０００７】
請求項２の発明は、請求項１の記載において、本体の出口側に形成された絞った区域の筒部に複数の縦割部が形成され、本体の縦割部を覆って筒外周に密着して嵌め込まれる可撓性のチューブと、該チューブを被い、先端が本体の出口端にほぼ一致させるよう本体に嵌め込まれたガイド部材と、ガイド部材の外周面に装着されて本体の出口を閉塞し、内側には本体の出口端とガイド部材の先端に当接される平坦面を有し、該平坦面に入口から挿入されたねじの先端を突き当て芯出しする芯出し用キャップと、本体の入口を塞ぐキャップとを備えていることを特徴とする。
上記の構成により、ガイド部材を介して芯出しキャップを本体に装着することで、芯出しキャップの平坦面と本体の出口端との当接が確実となって、ねじの先端の突き当て作業がし易くなり、芯出し精度が向上されると共に、本体の縦割部を可撓性のチューブで覆っているので、本体にドライバを差し入れてねじ頭に係止させ、本体の出口端をプレートのねじ孔に合わせた後、ドライバを回転操作し押し進める事によって、チューブがドライバとねじとを更に真っ直ぐ前進させるよう作用するため、芯がぶれる事無くねじをねじ孔を通して骨弁または頭蓋骨にねじ込みすることができる。
【０００８】
請求項３の発明は、請求項１において、本体の外側面にねじを特定するロット番号が付されていることを特徴とする。
請求項３の発明によれば、使用したねじの工具に付されたロット番号を見ることで、使用したねじの特定が正確にできる。
【０００９】
請求項４の発明は、請求項２において、チューブの外側面にねじを特定するロット番号が付されていることを特徴とする。
請求項４の発明によれば、請求項３と同様の作用が得られる。
【００１０】
請求項５の発明に係るガイド工具付き骨弁固定ねじは、請求項１〜４のいずれかに記載の骨弁固定ねじ用工具に芯出した状態のねじがセットされていることを特徴とする。
【発明の効果】
【００１１】
請求項１の発明によれば、術前においてプレートのねじ孔に対してねじを芯出した状態で本体にセットする事ができ、かつ術中においてねじをセットした本体の出口端をプレートのねじ孔に当てることで位置合わせが簡単にできる。また、ドライバは本体の絞り区域にガイドされるので、ドライバの先端にねじ頭を確実に係止させることができるから、骨弁と頭蓋骨に跨るプレートを迅速、正確かつ容易にねじ固定を行うことができるようになる。これにより手術時間の短縮が図れると共に、術者と患者の双方の負担が軽減される。
【００１２】
請求項２の発明によれば、ガイド部材を介して芯出しキャップを本体に装着することで、芯出しキャップの平坦面と本体の出口端との当接が確実となって、ねじの先端の突き当て作業がし易くなり、芯出し精度が向上される。また、本体の縦割部を可撓性のチューブで覆っているので、このチューブがドライバとねじとを更に真っ直ぐ前進させるよう作用するため、芯がぶれる事無くねじをねじ孔を通して骨弁または頭蓋骨にねじ込みすることができるようになる。これにより上記請求項1と同様の効果が得られる。
【００１３】
請求項３の発明によれば、使用したねじは当該ねじがセットされていた本体に付されているロット番号により、正確に特定することができるので、不足ねじの把握が簡単かつ確実にできるなどの管理がし易くなる。
【００１４】
請求項４の発明によれば、請求項３と同様の効果が得られる。
【００１５】
請求項５の発明によれば、骨弁固定ねじ用工具に芯出した状態のねじがセットされているので、術中のドライバとねじのねじ頭の係止が迅速、確実かつ容易になるとともに、プレートを取り付けるねじのねじ孔に位置合わせが簡単にできるようになり、手術時間の短縮が図れると共に、術者と患者の双方の負担が軽減される。
【発明を実施するための最良の形態】
【００１６】
予めねじを本体の絞った区域に挿入し、ねじ頭を押して絞り区域を押し広げながら前進させ、ねじの先端を芯出しキャップの平坦面に突き当てて芯出しをした後、入口にキャップを嵌めて芯出し工具にすることで実現した。
【実施例１】
【００１７】
図１は本発明に係る骨弁固定ねじ用工具の実施例の外観を示す平面図、図２は骨弁固定ねじ用工具の断面図、図３は本体とチューブの組み付け前の平面図である。
【００１８】
骨弁固定ねじ用工具１は骨弁と頭蓋骨とを結合する接合プレート１２を固定するねじ８（図４参照）をねじ孔にねじ込む際に、ねじ８の芯出しに利用されるもので、円筒状の本体２と、本体２の両端に嵌め込まれるキャップ３および芯出しキャップ４を備えている。本体２はポリプロピレンなどの合成樹脂材料により両端開放された円筒成形体で構成されており、一端は大径の入口１０を、他端は小径の出口１１を有し、出口側の筒部分に絞った区域２Ｂが設けられ、この区域２ｂにねじ径にほぼ等しい内径のねじ芯出し部が形成されている。区域２ｂが形成された筒部分には複数の縦割部２ｃが形成されている。本例では四方に縦割部２ｃが形成されている。
【００１９】
本体２の入り口側の筒外周面にはねじのロット番号（ＬＯＴ  ＃＊＊＊＊）１５が付されている。他方の出口側の筒外周には縦割部２ｃを覆って外周面に密着して可撓性のチューブ５が嵌め込まれている。チューブ５は、例えばシリコン製である。このチューブ５を被ってガイド部材６が本体２に嵌め込まれている。ガイド部材６の先端は本体２の出口端にほぼ一致させている。ガイド部材６の外周面を利用して芯出しキャップ４が着脱可能に装着される。芯出しキャップ４は内側中央に突出部４ａを設け、この突出部４ａの頂上に平坦面４ｂが形成されており、突出部４ａとキャップ側部４ｄとの間に環状空間４ｃが設けられている。芯出しキャップ４をガイド部材６に装着するためのキャップ装着部材７はその一部を環状空間４ｃに嵌着され、外方に突出させている。環状空間４ｃの内側面は突出部４ａの成形時の抜きテーパ面を成し、外側面には環状突起４ｅが形成されており、ここにキャップ装着部材７を圧入することによって両部材を固着し一体化している。本体の入口１０はキャップ３で塞がれる。
【００２０】
次に骨弁固定ねじ用工具の作用を説明する。図４は骨弁固定ねじＡを工具Ｂにセットする手順を示す図、図５は骨弁固定ねじ用工具を使用する際の手順を示す図である。
先ず、芯出しキャップ４の平坦面４ｂを本体２の出口端に当接させて本体２のガイド部材６に芯出しキャップ４を装着する。ねじ８のねじ頭をドライバ２０に係止させる（図４（１）参照）。本体２の入口１０からドライバ２０を差し入れ、ねじ８を芯出し部１３に挿入し、ねじ８の先端を芯出しキャップ４の平坦面４ｂに突き当てて芯出しをする（図４（２）参照）。そして、ドライバ２０を抜き取るとねじ８は芯出し部の内壁との摩擦によって本体２内に保持される（図４（３）参照）。本体２の入口１０にキャップ３を嵌めて塞ぐ（図４（４）参照）。ねじがセットされた骨弁固定ねじ用工具１の必要数をケースに収容して出荷される。
【００２１】
続いて、使用時には入口用キャップ３、芯出しキャップ４、ガイド部材６とを取り去り（図５(１)参照）、本体２にドライバ２０を差し入れてねじ頭に係止し（図５(２)参照）、本体２の出口端をプレート１２のねじ孔に合わせた後、ドライバ２０を操作しチューブ５に覆われた本体２の先端の複数の縦割部２ｃをねじ８で先端部のテーパ２ａを押し進める事によって、芯がぶれる事無くねじ８をプレート１２のねじ孔１２ａを通して骨片または頭蓋骨９の下穴１４にねじ込み（図５(３)参照）、プレート１２を固定する（図５(４)参照）。
【００２２】
本発明はねじをセットしない骨弁固定ねじ用工具のみも包含するものであり、また実施例で説明した芯出し工具に各種のねじが適用可能である。
上記の実施例ではロット番号を工具の本体に付けたもので説明しているが、本発明の実施においては工具を構成する他の部材に付けることもできる。
【図面の簡単な説明】
【００２３】
【図１】本発明に係る骨弁固定ねじ用工具の実施例の外観を示す平面図である。
【図２】骨弁固定ねじ用工具の断面図である。
【図３】本体とチューブの組み付け前の平面図である。
【図４】骨弁固定ねじＡを工具Ｂにセットする手順を示す図である。
【図５】骨弁固定ねじ用工具を使用する際の手順を示す図である。
【符号の説明】
【００２４】
１      骨弁固定ねじ用工具
２      本体
３      入口用キャップ
４      芯出しキャップ
５      チューブ
６      ガイド部材
７      キャップ装着部材
８      ねじ
９      骨片
１０    入口
１１    出口
１２    プレート
１５    ロット番号
２０    ドライバ
【図１】
2005323700.tif 000003
【図２】
2005323700.tif 000004
【図３】
2005323700.tif 000005
【図４】
2005323700.tif 000006
【図５】
2005323700.tif 000007